(57)【要約】【課題】  容器の開蓋を容易にする開蓋装置を提供する。【解決手段】  外周部に雄ねじ部１４を備えた開口部１３と、内周部に雌ねじ部１６を備えた筒部１７および筒部の一端を閉塞する頂部１８を備えたねじ蓋１２と有する容器１０の開蓋装置２０（１００）であって、ねじ蓋が挿入される受容孔２９を備えたハウジング２１と、ハウジングに回動自在に支持され、頂部当接部６４Ｌ，６４Ｒおよび筒部挟持部６３Ｌ，６３Ｒを備えた複数の回動部材２２Ｌ，２２Ｒとを有し、回動部材のそれぞれは、ねじ蓋が受容孔に挿入されるときに、頂部当接部が頂部に押圧されることによって第１の回転方向に回動し、当該回動によって筒部挟持部が筒部に当接し、少なくとも２つ以上の筒部挟持部の間に筒部を挟持することを特徴とする。【選択図】    図１
2011088658.tif 000002
【特許請求の範囲】
【請求項１】
外周部に雄ねじ部を備えた開口部と、内周部に前記雄ねじ部に螺合する雌ねじ部を備えた筒部および前記筒部の一端を閉塞する頂部を備えたねじ蓋と有する容器の開蓋装置であって、
前記ねじ蓋が挿入される受容孔を備えたハウジングと、
前記ハウジングに回動自在に支持され、頂部当接部および筒部挟持部を備えた複数の回動部材と
を有し、
前記回動部材のそれぞれは、前記ねじ蓋が前記受容孔に挿入されるときに、前記頂部当接部が前記頂部に押圧されることによって第１の回転方向に回動し、当該回動によって前記筒部挟持部が前記筒部に当接し、少なくとも２つ以上の前記筒部挟持部の間に前記筒部を挟持することを特徴とする開蓋装置。
【請求項２】
外周部に雄ねじ部を備えた開口部と、内周部に前記雄ねじ部に螺着する雌ねじ部が形成された筒部および前記筒部の一端を閉塞する頂部を備えたねじ蓋と有する容器の開蓋装置であって、
前記ねじ蓋が挿入される受容孔および前記受容孔に挿入された前記ねじ蓋の筒部に当接するハウジング側挟持部を備えたハウジングと、
前記ハウジングに回動自在に支持され、頂部当接部および筒部挟持部を備えた少なくとも１つの回動部材と、
を有し、
前記回動部材のそれぞれは、前記ねじ蓋が前記受容孔に挿入されるときに、前記頂部当接部が前記頂部に押圧されることによって第１の回転方向に回動し、当該回動によって前記筒部挟持部が前記筒部に当接し、少なくとも１つ以上の前記筒部挟持部と前記ハウジング側挟持部との間に前記筒部を挟持することを特徴とする開蓋装置。
【請求項３】
前記ハウジングと前記回動部材との間に介装され、前記回動部材を前記第１の回転方向と逆向きの第２の回転方向に付勢する付勢部材を有することを特徴とする、請求項１または請求項２に記載の開蓋装置。
【請求項４】
前記付勢部材は、前記回動部材に突設されて前記ハウジングに当接する弾性片であることを特徴とする、請求項３に記載の開蓋装置。
【請求項５】
前記回動部材の回転軸と前記頂部当接部の前記頂部と当接する部分との距離は、前記回転軸と前記筒部挟持部の前記筒部と当接する部分との距離よりも長いことを特徴とする、請求項１〜請求項４のいずれかの項に記載の開蓋装置。
【請求項６】
前記ハウジングは、前記受容孔への前記蓋部の挿入長さを規制すべく、前記蓋部に当接する挿入規制部を備えることを特徴とする、請求項１〜請求項５のいずれかの項に記載の開蓋装置。
【発明の詳細な説明】
【技術分野】
【０００１】
本発明は、容器の開蓋装置に係り、詳しくはペットボトル等の開口部を閉塞するねじ蓋を開くための開蓋装置に関する。
【背景技術】
【０００２】
ねじ蓋によって開口部が閉塞された飲料用容器（ペットボトル等）では、一般的に使用者は、一方の手で容器本体を把持し、他方の手でねじ蓋を回転させ、ねじ蓋を容器本体から取り去る。すなわち、使用者は両手を使って飲料用容器のねじ蓋を開く。未開封の飲料用容器にはねじ蓋にタンパーエビデントバンドを備えたものがあり、ねじ蓋を容器本体から取り去るには、比較的大きな力を必要とする。そのため、片手で容器本体を把持し、親指でキャップを回転させる等して、片手で飲料用容器のねじ蓋を取り去ることは難しい。
【０００３】
ねじ蓋を備えた容器の開蓋装置としては、壁等に固定された固定アームと、固定アームの一端に揺動自在に支持された揺動アームと備え、固定アームと揺動アームとの間にねじ蓋を挟持するようにしたものがある（例えば、特許文献１）。
【先行技術文献】
【特許文献】
【０００４】
【特許文献１】実用新案登録第３００８４０３号公報
【発明の概要】
【発明が解決しようとする課題】
【０００５】
しかしながら、特許文献１に記載の開蓋装置では、一方の手で容器本体を把持し、他方の手で揺動アームを固定アーム側に押さえつけて揺動アームと固定アームとの間にねじ蓋を挟持する必要があるため、両手を用いることになる。片手で飲料用容器の開栓を行うことができれば、他方の手で荷物等を持っている等、他の作業を行っている場合にも飲料を飲むことができ、有用である。
【０００６】
本発明は、以上の背景を鑑みてなされたものであって、片手でのねじ蓋の取り去りを可能にする等、容器の開蓋を容易にする開蓋装置を提供することを目的とする。
【課題を解決するための手段】
【０００７】
上記課題を解決するために、本発明の第１の発明は、外周部に雄ねじ部（１４）を備えた開口部（１３）と、内周部に前記雄ねじ部に螺合する雌ねじ部（１６）を備えた筒部（１７）および前記筒部の一端を閉塞する頂部（１８）を備えたねじ蓋（１２）と有する容器（１０）の開蓋装置（２０，１００）であって、前記ねじ蓋が挿入される受容孔（２９）を備えたハウジング（２１）と、前記ハウジングに回動自在に支持され、頂部当接部（６４Ｌ，６４Ｒ）および筒部挟持部（６３Ｌ，６３Ｒ）を備えた複数の回動部材（２２Ｌ，２２Ｒ）とを有し、前記回動部材のそれぞれは、前記ねじ蓋が前記受容孔に挿入されるときに、前記頂部当接部が前記頂部に押圧されることによって第１の回転方向に回動し、当該回動によって前記筒部挟持部が前記筒部に当接し、少なくとも２つ以上の前記筒部挟持部の間に前記筒部を挟持することを特徴とする。
【０００８】
この構成によれば、開蓋装置は、ねじ蓋をハウジングの受容孔に挿入するだけで、ねじ蓋を挟持する。そのため、使用者は、ねじ蓋が螺着された容器本体を回転させることにより、ねじ蓋の結合を緩めることができる。ねじ蓋のハウジングの受容孔への挿入および容器本体の回転は、使用者が片手で行うことができるため利便性が高い。また、ねじ蓋の結合が緩めば、使用者は片手で蓋を取り去ることができるため、ねじ蓋を取り去るための一連の操作を片手で行うことができる。
【０００９】
第２の発明は、外周部（１４）に雄ねじ部を備えた開口部（１３）と、内周部に前記雄ねじ部に螺着する雌ねじ部（１３）が形成された筒部（１７）および前記筒部の一端を閉塞する頂部（１８）を備えたねじ蓋（１２）と有する容器（１０）の開蓋装置（２０，１００）であって、前記ねじ蓋が挿入される受容孔（２９）および前記受容孔に挿入された前記ねじ蓋の筒部に当接するハウジング側挟持部（１０１）を備えたハウジング（２１）と、前記ハウジングに回動自在に支持され、頂部当接部（６４Ｌ，６４Ｒ）および筒部挟持部（６３Ｌ，６３Ｒ）を備えた少なくとも１つの回動部材（２２Ｌ，２２Ｒ）とを有し、前記回動部材のそれぞれは、前記ねじ蓋が前記受容孔に挿入されるときに、前記頂部当接部が前記頂部に押圧されることによって第１の回転方向に回動し、当該回動によって前記筒部挟持部が前記筒部に当接し、少なくとも１つ以上の前記筒部挟持部と前記ハウジング側挟持部との間に前記筒部を挟持することを特徴とする。
【００１０】
この構成によれば、上述した第１の発明と同様の効果を得つつ、部品点数の削減が図れる。
【００１１】
第３の発明は、第１または第２の発明において、前記ハウジングと前記回動部材との間に介装され、前記回動部材を前記第１の回転方向と逆向きの第２の回転方向に付勢する付勢部材（６８Ｌ，６８Ｒ）を有することを特徴とする
【００１２】
この構成によれば、回動部材は付勢部材によって初期位置に維持されているため、ねじ蓋をハウジングの受容孔に挿入する際に回動部材がねじ蓋の挿入進路を阻害することがない。
【００１３】
第４の発明は、第３の発明において、前記付勢部材は、前記回動部材に突設されて前記ハウジングに当接する弾性片であることを特徴とする。
【００１４】
この構成によれば、部品点数を削減することができる。
【００１５】
第５の発明は、第１〜第４のいずれかの発明において、前記回動部材の回転軸と前記頂部当接部の前記頂部と当接する部分との距離は、前記回転軸と前記筒部挟持部の前記筒部と当接する部分との距離よりも長いことを特徴とする。
【００１６】
この構成によれば、回動部材の回転軸を支点、頂部当接部の頂部と当接する部分を力点、筒部挟持部の筒部と当接する部分を作用点とする、てこの原理によって、筒部挟持部が筒部を挟持する力が増大する。
【００１７】
第６の発明は、第１〜第５のいずれかの発明において、前記ハウジングは、前記受容孔への前記蓋部の挿入長さを規制すべく、前記蓋部に当接する挿入規制部を備えることを特徴とする
【００１８】
この構成によれば、蓋部の受容孔に対する適切な挿入長さが設定され、回動部材の頂部当接部および筒部挟持部に過度の荷重が加わることを防止することができる。
【発明の効果】
【００１９】
以上の構成によれば、ねじ蓋をハウジングの受容孔に挿入するだけで、ねじ蓋を挟持することができる開蓋装置を得ることができる。
【図面の簡単な説明】
【００２０】
【図１】第１実施形態に係る開蓋装置を示す斜視図
【図２】第１実施形態に係るハウジングを示す斜視図
【図３】第１実施形態に係る回動部材を示す斜視図
【図４】第１実施形態に係る開蓋装置の飲料用容器の蓋を挟持する前の状態を示す断面図
【図５】第１実施形態に係る開蓋装置の飲料用容器の蓋を挟持した状態を示す断面図
【図６】第２実施形態に係る開蓋装置を示す斜視図
【発明を実施するための形態】
【００２１】
以下、図面を参照して、本発明を飲料用容器のねじ蓋を開くための開蓋装置に適用した第１実施形態および第２実施形態について詳細に説明する。飲料用容器１０は、図４に示すように、容器本体１１とねじ蓋１２とから構成されている。容器本体１１およびねじ蓋１２は、例えばポリエチレンテレフタレート等の樹脂材料から成形された、いわゆるペットボトルである。容器本体１１は、内部と外部とを連通する円筒状の開口部１３を備えており、開口部１３の外周部には雄ねじ部１４が形成されている。ねじ蓋１２は、雄ねじ部１４に螺合する雌ねじ部１６を内周面に備えた筒部１７と、筒部１７の一端を閉塞する頂部１８とを備え、開口部１３に螺合して開口部１３を閉塞する。筒部１７の外周面には、筒部１７の軸線と平行な縦溝１９が複数形成されている。なお、飲料用容器１０は、アルミニウムやスチール等の金属性材料から形成されてもよい。
【００２２】
＜第１実施形態＞
図１〜図３に示すように、開蓋装置２０は、ハウジング２１と、互いに同一の形状を有し、それぞれハウジングに回動自在に支持された左側回動部材２２Ｌおよび右側回動部材２２Ｒとから構成されている。以下の説明では、各図に示す座標軸に基づいて上下、左右、前後を規定する。
【００２３】
図１および図２に示すように、ハウジング２１は、樹脂材料から形成されており、略正方形の底板２４と、底板２４の各周縁部から底板２４と垂直に上方へと立設された側板２５，２６，２７，２８とを有する。各側板２５〜２８は、それぞれの両側端において隣り合う側板２５〜２８と互いに連結されており、底板２４および側板２５〜２８によって受容孔２９が画成されている。互いに相対する一組の側板２５，２７の外面には、底板２４と同一平面上に配置された一対のフランジ部３１，３２が突設されている。各フランジ部３１，３２には、貫通孔３３，３４が形成されている。
【００２４】
側板２８は、その左下隅部に内面と外面とを連通する第１支持孔３６を備え、右下隅部に内面と外面とを連通する第２支持孔３７を備えている。側板２８の上端面の内面側部分であって第１支持孔３６および第２支持孔３７の上方に位置する部分には、ガイド溝４１，４２が形成されている。ガイド溝４１，４２は、上下方向に延在し、下方に向かうにつれて深さが浅くなるように底面が傾斜している。
【００２５】
側板２８に相対する側板２６は、第１支持孔３６および第２支持孔３７と相対する位置に第３支持孔４４および第４支持孔４５を備え、ガイド溝４１，４２と相対する位置にガイド溝４６，４７を備えている。第３支持孔４４および第４支持孔４５は側板２６の内面と外面とを連通している。ガイド溝４６，４７は、ガイド溝４１，４２と同様の形状を有する。
【００２６】
底板２４の内面には、内面に対して段差をもって隆起した一対の隆起部５１，５２と、一対の挿入規制片５３，５４とが突設されている。一対の隆起部５１，５２は、平面視において底板２４の中心を対称軸として互いに点対称となる位置に配置されている。一対の挿入規制片５３，５４はそれぞれ十字形状を呈し、平面視において底板２４の中心を対称軸として互いに点対称となる位置に配置されている。
【００２７】
図３は、左側回動部材２２Ｌを示す斜視図である。左側回動部材２２Ｌと右側回動部材２２Ｒとは互いに同一の構造を有するため、以下の説明では左側回動部材２２Ｌの構成についてのみ説明する。右側回動部材２２Ｒの構成は、左側回動部材２２Ｌの構成を表す符号の添え字をＲとして説明を省略する。
【００２８】
図３に示すように、回動部材２２Ｌは、基部６１Ｌと、２つの軸部６２Ｌと、筒部挟持部６３Ｌと、頂部当接部６４Ｌと、弾性部６８Ｌとを備えており、各部は樹脂材用から一体に形成されている。基部６１Ｌは、前後方向および左右方向に延在する略長形状の板形状を呈する。２つの軸部６２Ｌは、それぞれ円柱状をなし、基部６１Ｌの前端面および後端面の下端部に、互いに同軸となるように前後方向に沿って突設されている。各軸部６２Ｌの先端部の下部は、先端側が先細にとなるように、傾斜面となっている。基部６１Ｌの左側を向く面と、前方および後方の端面には、半球状の突部７１Ｌ、７２Ｌが突設されている。
【００２９】
筒部挟持部６３Ｌは、板形状をなし、基部６１Ｌの上端部から基部６１Ｌに対して垂直になるように右方へと突設されている。筒部挟持部６３Ｌの先端部は前後方向における中間部が左方へと凹んだ曲線状に形成されており、その先端面６６Ｌには筒部挟持部６３Ｌの厚み方向（上下方向）に延在する突条６７Ｌが複数形成されている。
【００３０】
頂部当接部６４Ｌは、板形状をなし、基部６１Ｌの上下方向における中間部であって、若干下端よりの部分から右方へと上方に傾斜しつつ延びている。そして、頂部当接部６４Ｌは、先端部において屈曲し、概ね左右方向へと延びている。頂部当接部６４Ｌは、基部６１Ｌの前後方向における中間位置よりも前側に配置されている。
【００３１】
ここで、前後方向における一方向から見て、軸部６２Ｌの中心と頂部当接部６４の先端部との間の直線距離が、軸部６２Ｌの中心と筒部挟持部６３Ｌの先端面６６Ｌとの間の直線距離よりも長くなるように、基部６１Ｌ、筒部挟持部６３Ｌ、頂部当接部６４の大きさが設定されている。
【００３２】
弾性部６８Ｌは、板状をなし、基部６１Ｌの下端部から基部６１Ｌと概ね垂直となるように右方へと突出している。弾性部６８Ｌは、基部６１Ｌの前後方向における中間位置よりも前側に位置しており、頂部当接部６４Ｌの下方に位置している。弾性部６８Ｌの先端部は、他の部分に対して厚みが厚く形成されている。
【００３３】
左側回動部材２２Ｌは、樹脂材料により各部が一体的に形成されている。基部６１Ｌ、筒部挟持部６３Ｌ、頂部当接部６４Ｌは、弾性部６８Ｌよりも厚みが厚く形成されており、基部６１Ｌ、筒部挟持部６３Ｌ、頂部当接部６４Ｌ間の相対位置関係が変化しないように、所定の剛性を有している。一方、弾性部６８Ｌは、弾性変形可能な厚みに形成されている。
【００３４】
左側回動部材２２Ｌおよび右側回動部材２２Ｒは、嵌め込みによってハウジング２１に組み付けられる。最初に、左側回動部材２２Ｌの弾性部６８Ｌがハウジング２１の底板２４と相対するように配置し、左側回動部材２２Ｌの２つの軸部６２Ｌをガイド溝４１，４６に遊嵌させる。この状態から、左側回動部材２２Ｌを底板２４側に押し込むと、軸部６２Ｌおよび側板２６，２８が撓み、２つの軸部６２Ｌがそれぞれ第１支持孔３６および第３支持孔４４に嵌合する。これにより、左側回動部材２２Ｌは、軸部６２Ｌの中心を回転中心としてハウジング２１に回動自在に支持される。同様に、右側回動部材２２Ｒは、軸部６２Ｒが第２支持孔３７および第４支持孔４５に嵌合し、軸部６２Ｒの中心を回転中心としてハウジング２１に回動自在に支持される。
【００３５】
左側回動部材２２Ｌおよび右側回動部材２２Ｒの回転方向は、左右の筒部挟持部６３Ｌ，６３Ｒが底板２４に近接する向きの回転方向を第１の回転方向とし、その逆方向、すなわち左側筒部挟持部６３Ｌが側板２５に近接し、右側筒部挟持部６３Ｒが側板２７に近接する向きの回転方向を第２の回転方向とする。
【００３６】
左右の回動部材２２Ｌ，２２Ｒがハウジング２１に支持された状態で、左右の弾性部６８Ｌ，６８Ｒは、その先端が隆起部５１，５２に当接し、弾性変形させられる。そのため、左右の回動部材２２Ｌ，２２Ｒは、弾性部６８Ｌ，６８Ｒの復元力を受けて、それぞれ第２の回転方向に付勢されている。これにより、左側回動部材２２Ｌは、基部６１Ｌの突部７１Ｌが側板２５に当接し、右側回動部材２２Ｒは、基部６１Ｒの突部７１Ｒが側板２７に当接した状態となる。また、左右の回動部材２２Ｌ，２２Ｒは、基部６１Ｌ，６１Ｒの前後端面の突部７２Ｌ，７２Ｒを介して側板２６，２８と摺接している。
【００３７】
以上のようにハウジング２１、左側回動部材２２Ｌ、右側回動部材２２Ｒを組み合わせることによって、図１に示す開蓋装置２０が構成される。この状態で、左側回動部材２２Ｌの筒部挟持部６３Ｌの先端面６６Ｌと、右側回動部材２２Ｒの筒部挟持部６３Ｒの先端面６６Ｒと、側板２６と、側板２８とによって、ねじ蓋１２が挿通可能な開口７５が画成される。初期状態では、左右の弾性部６８Ｌ，６８Ｒに付勢力によって、左右の筒部挟持部６３Ｌ，６３Ｒが互いに最も離間し、開口７５が最も開かれた状態となっている。
【００３８】
次に、第１実施形態に係る開蓋装置２０の使用方法および使用時の作動態様について説明する。開蓋装置２０は、使用者に対して静止した状態を維持することができる壁や天井に取り付けられる。本実施形態では、開蓋装置２０を自動車のダッシュボード８０に取り付けた例について説明する。なお、開蓋装置２０は、自動車のルーフライニングやドアライニング、サイドライニング、飲料水の自動販売機の本体壁面、戸棚の壁面等に取り付けてもよい。
【００３９】
図４に示すように、ダッシュボード８０には、開蓋装置２０のフランジ部３１，３２の貫通孔３３，３４に対応する位置に２つの貫通孔８１が形成されている。貫通孔３３および貫通孔８１と、貫通孔３４および貫通孔８１とには、それぞれボルト９１が挿通され、ボルト９１にはナット９２が螺着される。これらのボルト９１およびナット９２によって、開蓋装置２０はダッシュボード８０に締結される。なお、ボルト９１およびナット９２に代えて、締結クリップやリベット等で開蓋装置２０とダッシュボード８０との締結を行ってもよい。
【００４０】
図４に示すように、最初に、使用者は、ねじ蓋１２が開口部１３に螺着された容器本体１１を把持し、ねじ蓋１２を頂部１８側から開蓋装置２０の開口７５を通して底板２４側へと挿入する。ねじ蓋１２の開蓋装置２０に対する挿入が進むと、ねじ蓋１２の頂部１８が左右の頂部当接部６４Ｌ，６４Ｒの先端部に当接する。この状態から、ねじ蓋１２を底板２４側へと更に挿入すると、左右の回動部材２２Ｌ，２２Ｒが、それぞれ弾性部６８Ｌ，６８Ｒの付勢力に抗して、弾性部６８Ｌ，６８Ｒを撓ませつつ、第１の回転方向に回動される。
【００４１】
図５に示すように、左右の回動部材２２Ｌ，２２Ｒが第１の回転方向に回動すると、左右の筒部挟持部６３Ｌ，６３Ｒ間の距離が短くなり、その先端面６６Ｌ，６６Ｒがねじ蓋１２の筒部１７の外周面に当接する。このとき、各先端面６６Ｌ，６６Ｒに形成された突条６７Ｌ，６７Ｒがねじ蓋１２の縦溝１９に噛み合う。ねじ蓋１２が底板２４に近接し、頂部１８が頂部当接部６４Ｌ，６４Ｒを底板２４側に変位させるほど、回動部材２２Ｌ，２２Ｒを第１の回転方向に回動させる力が大きくなり、左右の筒部挟持部６３Ｌ，６３Ｒが筒部１７を挟み込む力が大きくなる。ここで、図４および図５に示すように、軸部６２Ｌ（６２Ｒ）の中心と頂部当接部６４Ｌ（６４Ｒ）の頂部１８が当接する部分との間の直線距離が、軸部６２Ｌ（６２Ｒ）の中心と筒部挟持部６３Ｌ（６３Ｒ）の筒部１７と当接する部分との間の直線距離よりも長いため、てこの原理によって左右の筒部挟持部６３Ｌ，６３Ｒに加わる挟持力が高められている。この場合、軸部６２Ｌ（６２Ｒ）は支点、頂部当接部６４Ｌ（６４Ｒ）の頂部１８が当接する部分は力点、筒部挟持部６３Ｌ（６３Ｒ）の筒部１７と当接する部分は作用点となる。ねじ蓋１２の開蓋装置２０に対する挿入は、頂部１８が挿入規制片５３，５４に当接した時点で完了する。
【００４２】
ねじ蓋１２の開蓋装置２０に対する挿入が完了した状態で、ねじ蓋１２は左右の筒部挟持部６３Ｌ，６３Ｒに挟持され、開蓋装置２０に固定された状態となる。使用者は、この状態で、容器本体１１を容器本体１１（開口部１３）の軸線回りであって、雄ねじ部１４と雌ねじ部１６の螺合を解除させる方向に回転させると、容器本体１１とねじ蓋１２とが相対回転し、雄ねじ部１４と雌ねじ部１６との螺合を緩めることができる。
【００４３】
使用者が、容器本体１１を把持し、開口部１３に緩く螺合したねじ蓋１２を開蓋装置２０から引き出すと、頂部１８による頂部当接部６４Ｌ，６４Ｒに加わる力が消失し、左右の回動部材２２Ｌ，２２Ｒは弾性部６８Ｌ，６８Ｒに付勢されて初期状態に復帰する（図４に示す状態）。
【００４４】
第１実施形態に係る開蓋装置２０によれば、使用者は片手で容器本体１１に螺着されたねじ蓋１２の螺合を緩めることができる。容器本体１１に対するねじ蓋１２の螺合が緩められると、使用者は比較的容易にねじ蓋１２を容器本体１１から片手で取り去ることができる。例えば、手のひらと、中指、薬指、小指で容器本体１１を把持し、親指でねじ蓋１２を回転させ、親指と人差し指とでねじ蓋１２を開口部１３から取り去ることができる。
【００４５】
使用者が、自らの両手を用いて容器本体１１に螺着されたねじ蓋１２を緩めようとする際には、ねじ蓋１２を把持するために比較的な大きな力が必要となる。開蓋装置２０は、ねじ蓋１２を保持することによって、使用者によるねじ蓋１２の把持を省くため、使用者は開蓋操作が容易になる。また、使用者は、ねじ蓋１２をハウジング２１の受容孔２９（開口７５）に挿入するだけで、ねじ蓋１２を開蓋装置２０に保持させることができ、開蓋操作が容易である。
【００４６】
＜第２実施形態＞
次に、第２実施形態に係る開蓋装置１００について説明する。開蓋装置１００は、第１実施形態の開蓋装置２０と比較して、回動部材２２Ｌを１つしか有さない点で異なる。開蓋装置１００の構成のうち、開蓋装置２０と同様の構成については、開蓋装置２０と同一の符号を付して説明を省略する。
【００４７】
図６に示すように、開蓋装置１００は、ハウジング２１と、回動部材２２Ｌとを備えている。ハウジング２１の側板２６，２７，２８の上端部には、板状の挟持片（ハウジング側挟持部）１０１が前後および左右方向に延在するように固定されている。挟持片１０１は、樹脂材料によって、ハウジング２１と一体的に形成されてもよい。挟持片１０１の左側の端面１０２は、前後方向における中間部が右方へと曲線状に凹設されている。端面１０２には、上下方向に延在する突条１０３が複数形成されている。挟持片１０１の端面１０２と、筒部挟持部６３Ｌの先端面６６Ｌと、側板２６と、側板２８とによって、ねじ蓋１２が挿通可能な開口１０４が画成される。
【００４８】
開蓋装置１００は、開口１０４を通して底板２４側へとねじ蓋１２がハウジング２１内に挿入された際に、ねじ蓋１２の頂部１８に頂部当接部６４Ｌが押圧されることによって回動部材２２Ｌが回動され、筒部挟持部６３Ｌの先端面６６Ｌと挟持片１０１の端面１０２との相対距離が近接し、先端面６６Ｌと端面１０２との間にねじ蓋１２の筒部１７を挟持する。
【００４９】
以上で具体的実施形態の説明を終えるが、本発明は上記実施形態に限定されることなく幅広く変形実施することができる。例えば、ハウジング２１に回動部材２２を３つ以上設けてもよい。この場合、ねじ蓋１２がハウジング２１内に挿入された際に、それぞれの頂部当接部６４がねじ蓋１２の頂部１８に当接することによって回動部材２２が回動し、それぞれの筒部挟持部６３が互いに近接するように配置すればよい。
【００５０】
また、実施形態では回動部材２２Ｌ，２２Ｒに一体に設けられた弾性部６８Ｌ，６８Ｒによって回動部材２２Ｌ，２２Ｒを第２の方向に付勢したが、回動部材２２Ｌ，２２Ｒと別体の弾性装置を用いてもよい。例えば、圧縮コイルばねやゴム部材等を底板２４と頂部当接部６４Ｌ，６４Ｒとの間に設けてもよい。また、筒部挟持部６３Ｌ，６３Ｒによる筒部１７の挟持能力を高めるために、先端面６６Ｌ，６６Ｒにゴム部材等の可撓性部材を設けてもよい。
【００５１】
実施形態では、飲料用容器のねじ蓋を開くための開蓋装置について説明したが、容器は飲料用に限られず、薬品や調味料等、様々な液体や固体を収容するものであってもよい。また、開蓋装置は、使用者が容器本体を逆方向に回転させることによって、ねじ蓋を容器本体に締めこむこともできる。
【符号の説明】
【００５２】
１０…飲料用容器、１１…容器本体、１２…ねじ蓋、１３…開口部、１４…雄ねじ部、１６…雌ねじ部、１７…筒部、１８…頂部、２０，１００…開蓋装置、２１…ハウジング、２２Ｌ，２２Ｒ…回動部材、２４…底板、２５〜２８…側板、２９…受容孔、５１…隆起部、５３…挿入規制片、６１Ｌ，６１Ｒ…基部、６２Ｌ，６２Ｒ…軸部、６３Ｌ，６３Ｒ…筒部挟持部、６４Ｌ，６４Ｒ…頂部当接部、６６Ｌ，６６Ｒ…先端面、６７Ｌ，６７Ｒ…突条、６８Ｌ，６８Ｒ…弾性部、７５，１０４…開口、１０１…挟持片、１０２…端面、１０３…突条
【図１】
2011088658.tif 000003
【図２】
2011088658.tif 000004
【図３】
2011088658.tif 000005
【図４】
2011088658.tif 000006
【図５】
2011088658.tif 000007
【図６】
2011088658.tif 000008